(57)【特許請求の範囲】
【請求項１】
目地部を介して配置された左右の躯体の壁面に連絡通路を形成するために形成された開口部の一方の躯体の開口部の目地部側外周部の壁面に前後方向にスライド移動可能に取付けられたスライド枠と、このスライド枠の上下部位のバー部材に一端部が枢支され、他端部が前記他方の躯体の開口部の目地部側外周部の上下部位の壁面に枢支されたほぼ中央部が内側あるいは外側のいずれか一方に突出するように枢支されたリンクを用いた上下部カバー材支持機構と、前記スライド枠の両側部位のバー部材に一端部が枢支され、他端部が前記他方の躯体の開口部の目地部側外周部の両側部位の壁面に枢支されたほぼ中央部が内側あるいは外側のいずれか一方に突出するように枢支されたリンクを用いた側部カバー材支持機構と、この側部カバー材支持機構および前記上下カバー材支持機構の伸縮が可能に、該カバー材支持機構に沿うようにあるいはＷ、逆Ｗ状になるように固定され、両側部が一方の躯体の目地部側壁面と他方の躯体の目地部側壁面に接触状態で前記スライド枠の移動を可能に取付けられた筒状の防水シート、耐火材等のカバー材とからなることを特徴とするカバー壁。
【請求項２】
目地部を介して配置された左右の躯体の壁面に連絡通路を形成するために形成された開口部の一方の躯体の開口部の目地部側外周部の壁面に前後方向にスライド移動可能に取付けられたスライド枠と、このスライド枠の上下部位のバー部材に一端部が枢支され、他端部が前記他方の躯体の開口部の目地部側外周部の上下部位の壁面に枢支されたほぼ中央部が内側に突出するように枢支されたリンクを用いた上下部カバー材支持機構と、前記スライド枠の両側部位のバー部材に一端部が枢支され、他端部が前記他方の躯体の開口部の目地部側外周部の両側部位の壁面に枢支されたほぼ中央部が外側に突出するコ字状のリング部材を介装したリンクを用いた側部カバー材支持機構と、この側部カバー材支持機構および前記上下部カバー材支持機構の伸縮が可能に、該カバー材支持機構の内側部位に沿うように固定され、両側部が一方の躯体の目地部側壁面と他方の躯体の目地部側壁面に接触状態で前記スライド枠の移動を可能に取付けられた筒状の防水シート、耐火材等のカバー材とからなることを特徴とするカバー壁。
【請求項３】
目地部を介して配置された左右の躯体の壁面に連絡通路を形成するために形成された開口部の一方の躯体の開口部の目地部側外周部の壁面に前後方向にスライド移動可能に取付けられたスライド枠と、このスライド枠の上下部位のバー部材に一端部が枢支され、他端部が前記他方の躯体の開口部の目地部側外周部の上下部位の壁面に枢支されたほぼ中央部が内側あるいは外側のいずれか一方に突出するように枢支されたリンクを用いた上下部カバー材支持機構と、前記スライド枠の両側部位のバー部材の上下部に一端部が枢支され、他端部が前記他方の躯体の開口部の目地部側外周部の両側部位の上下部の壁面に枢支された中央枢支部が常時前記目地部のほぼ中央部に位置する２対の中央維持リンク機構、この２対の中央維持リンク機構の上下部に位置する中央枢支部に枢支された一対の中央維持バーとからなる側部カバー部材支持機構と、この側部カバー材支持機構および前記上下部カバー材支持機構の伸縮が可能に、該カバー材支持機構にＷあるいは逆Ｗ状になるように固定され、両側部が一方の躯体の目地部側壁面と他方の躯体の目地部側壁面に接触状態で、前記スライド枠の移動を可能に取付けられた筒状の防水シート、耐火材等のカバー材とからなることを特徴とするカバー壁。
【発明の詳細な説明】
【０００１】
【発明の属する技術分野】
本発明は目地部を介して配置された左右の躯体の壁面に、連絡通路を形成するために形成された開口部間の外周部を防水シートや耐火材で防水あるいは耐火可能に覆うカバー壁に関する。
【０００２】
【従来の技術】
従来、連絡通路の外周部を耐火材で覆うカバー壁は、上下部の耐火材をＵ字状となるように両側部を左右の躯体の目地部側の開口部の上下部の壁面に固定的に取付けるとともに、両側の耐火材を上下部が前記上下部の耐火材と当接してＵ字状となるように両側部を左右の躯体の目地部側の開口部の両側部の壁面に固定的に取付けている。
【０００３】
【発明が解決しようとする課題】
従来のカバー壁は上下部と両側部に配置する耐火材をＵ字状となるように取付けているので、地震等による左右方向の異なる揺れ動きや小さな異なる前後方向の揺れ動きを吸収することができるが、免震構造の建物のように目地部の寸法が大きく、異なる前後左右方向の揺れ動きが大きい場合には、その揺れ動きを吸収することができず、損傷してしまうという欠点があった。
また、上下部の耐火材と両側部の耐火材との接続部の耐火シールを確実に行なうことができないという欠点があった。
【０００４】
本発明は以上のような従来の欠点に鑑み、左右の躯体が異なる前後方向および左右方向に揺れ動いても、その揺れ動きに追従して損傷することなく、確実に開口部間の目地部を耐火あるいは防水可能に覆うことができるカバー壁を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して配置された左右の躯体の壁面に連絡通路を形成するために形成された開口部の一方の躯体の開口部の目地部側外周部の壁面に前後方向にスライド移動可能に取付けられたスライド枠と、このスライド枠の上下部位のバー部材に一端部が枢支され、他端部が前記他方の躯体の開口部の目地部側外周部の上下部位の壁面に枢支されたほぼ中央部が内側あるいは外側のいずれか一方に突出するように枢支されたリンクを用いた上下部カバー材支持機構と、前記スライド枠の両側部位のバー部材に一端部が枢支され、他端部が前記他方の躯体の開口部の目地部側外周部の両側部位の壁面に枢支されたほぼ中央部が内側あるいは外側のいずれか一方に突出するように枢支されたリンクを用いた側部カバー材支持機構と、この側部カバー材支持機構および前記上下カバー材支持機構の伸縮が可能に、該カバー材支持機構に沿うようにあるいはＷ、逆Ｗ状になるように固定され、両側部が一方の躯体の目地部側壁面と他方の躯体の目地部側壁面に接触状態で前記スライド枠の移動を可能に取付けられた筒状の防水シート、耐火材等のカバー材とでカバー壁を構成している。
【０００７】
【発明の実施の形態】
以下、図面に示す実施の形態により、本発明を詳細に説明する。
【０００８】
図１ないし図１１に示す本発明の第１の実施の形態において、１は目地部２を介して配置された、例えば建物とエレベーターシャフト等の左右の躯体３、３の壁面３ａ、３ａに連絡通路４を形成するために形成された開口部５、５間の外周部を耐火可能に覆う本発明のカバー壁で、このカバー壁１は前記一方の躯体３の開口部５の目地部側外周部の壁面３ａに前後方向にスライド移動可能に、支持金具６、６によって取付けられたスライド枠７と、このスライド枠７の上下部位のバー部材７ａ、７ａに一端部が枢支されるように取付けられ、他端部が前記他方の躯体３の開口部５の目地部側外周部の上下部位の壁面３ａに枢支されるように取付けられた、ほぼ中央部が内側に突出するように枢支ピン８で枢支されたバー部材を用いたヒンジ状のリンク、本発明の実施の形態では３個のリンク９、９、９を用いた上下部カバー材支持機構１０、１０と、前記スライド枠７の両側部位のバー部材７ｂ、７ｂに一端部が枢支されるように取付けられ、他端部が前記他方の躯体３の開口部５の目地部側外周部の両側部の壁面３ｂに枢支されるように取付けられた、ほぼ中央部が外側に突出するコ字状のリンク部材１１を介装したヒンジ部材状のリンクを用いた側部カバー材支持機構１２、１２と、この側部カバー材支持機構１２、１２および前記上下部カバー材支持機構１０、１０の伸縮が可能に、該カバー材支持機構１２、１２、１０、１０の内側部位に沿うように複数個のビス１３等によって固定され、両側部が一方の躯体３の目地部側壁面３ｂあるいは前記スライド枠７と他方の躯体３の目地部側壁面３ｂに接触状態で、前記スライド枠７の移動を可能に取付けられた筒状のカバー材１４とで構成されている。
【０００９】
前記スライド枠７は図５に示すように、角パイプ材を用いて枠状に形成されたものが使用され、該スライド枠７の上下部位のバー部材７ａ、７ａの両側部を除く部位を複数本のビス１５等によって壁面３ｂに固定されたクランク状の支持金具６、６によってスライド移動可能に支持させている。
【００１０】
前記筒状のカバー部材１４は図８に示すように、コーナー部が一体となるように直角に折り曲げられたほぼ４分の１の長さの４個のカバーシート１６、１６、１６、１６の接続部の一方の内部のロックウール等の充填材１７を除去して、両面の耐火シート１８、１８だけが重なり合うようにして筒状となるように位置させ、複数本のビス１５等により接続部を固定したものが使用されている。
【００１１】
上記構成のカバー壁１は、地震等によって左右の躯体３、３が異なる左右方向に揺れ動いた場合には、図９および図１０に示すように上下部カバー材支持機構１０、１０および側部カバー材支持機構１２、１２が伸縮するとともに、これらに固定された筒状のカバー材１４も伸縮して、その揺れ動きを吸収する。
【００１２】
左右の躯体３、３が異なる前後方向に揺れ動いた場合には、図１１に示すようにスライド枠７が前後方向にスライド移動して、その揺れ動きを吸収する。
【００１３】
【発明の異なる実施の形態】
次に、図１２ないし図２６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図１２ないし図１４に示す本発明の第２の実施の形態において、前記本発明の第１の実施の形態と主に異なる点は、上下部カバー材支持機構１０、１０の中央部を外方へ突出させるとともに、側部カバー材支持機構１２、１２の中央部を内方へ突出させ、これらのカバー材支持機構１０、１０、１２、１２の外側部位に沿うように複数個のビス１３等によって固定した点で、このように構成したカバー壁１Ａにしても前記本発明の第１の実施の形態と同様な作用効果が得られる。
【００１５】
図１５ないし図１７に示す本発明の第３の実施の形態において、前記本発明の第１の実施の形態と主に異なる点は、リンク部材９ａ、９ａのほぼ中央部に山形状の中央支持リンク１９を枢支した上部カバー材支持機構１０Ａと、四角枠形状のリンク２０、２０、このリンク２０、２０の対向するバー部材２０ａ、２０ａ、２０ａ、２０ａのほぼ中央部に、枢支ピン２１、２１、２１、２１で枢支された中央バー２２、２２とからなる２対の中央維持リンク機構２３、２３、２３、２３、この２対の中央維持リンク機構２３、２３、２３、２３の上下部に位置する中央維持リンク機構２３、２３、２３、２３の中央バー２２、２２、２２、２２の中央部に枢支ピン２４、２４、２４、２４で枢支された一対の中央維持バー２５、２５とからなる側部カバー材支持機構１２Ａ、１２Ａと、この側部カバー材支持機構１２Ａ、１２Ａ、前記上部カバー材支持機構１０Ａおよび下部カバー材支持機構１０の外側部位にＷや逆Ｗ状となるように折りたたまれた筒状のカバー材１４Ａを複数個のビス１３あるいは取付け紐２６で取付けた点で、このように構成したカバー壁１Ｂにしても、前記本発明の第１の実施の形態と同様な作用効果が得られる。
【００１６】
図１８ないし図２０に示す本発明の第４の実施の形態において、前記本発明の第３の実施の形態と主に異なる点は、上下部カバー材支持機構１０Ａ、１０を用いて筒状のカバー材１４Ａを内側部位に取付けた点で、このように構成したカバー壁１Ｃにしても前記本発明の第３の実施の形態と同様な作用効果が得られる。
【００１７】
図２１ないし図２３に示す本発明の第５の実施の形態において、前記本発明の第３の実施の形態と主に異なる点は、四角枠が２個のパンタグラフ形状の中央維持リンク機構２３Ａ、２３Ａ、２３Ａ、２３Ａを用いた側部カバー材支持機構１２Ｂ、１２Ｂを用いた点で、このような側部カバー材支持機構１２Ｂ、１２Ｂを用いて構成したカバー壁１Ｄにしても、前記本発明の第３の実施の形態と同様な作用効果が得られる。
【００１８】
図２４ないし図２６に示す本発明の第６の実施の形態において、前記本発明の第３の実施の形態と主に異なる点は、ゴムまたは防水シートを用いた筒状のカバー材１４Ｂを用いた点で、このようなカバー材１４Ｂを用いて構成したカバー壁１Ｅは渡り通路等に使用することができる。
【００１９】
【発明の効果】
以上の説明から明らかなように、本発明にあっては次に列挙する効果が得られる。
【００２０】
（１）目地部を介して配置された左右の躯体の壁面に連絡通路を形成するために形成された開口部の一方の躯体の開口部の目地部側外周部の壁面に前後方向にスライド移動可能に取付けられたスライド枠と、このスライド枠の上下部位のバー部材に一端部が枢支され、他端部が前記他方の躯体の開口部の目地部側外周部の上下部位の壁面に枢支されたほぼ中央部が内側あるいは外側のいずれか一方に突出するように枢支されたリンクを用いた上下部カバー材支持機構と、前記スライド枠の両側部位のバー部材に一端部が枢支され、他端部が前記他方の躯体の開口部の目地部側外周部の両側部位の壁面に枢支されたほぼ中央部が内側あるいは外側のいずれか一方に突出するように枢支されたリンクを用いた側部カバー材支持機構と、この側部カバー材支持機構および前記上下カバー材支持機構の伸縮が可能に、該カバー材支持機構に沿うようにあるいはＷ、逆Ｗ状になるように固定され、両側部が一方の躯体の目地部側壁面と他方の躯体の目地部側壁面に接触状態で前記スライド枠の移動を可能に取付けられた筒状の防水シート、耐火材等のカバー材とで構成されているので、開口部間の目地部を筒状のカバー材で覆うことができる。
したがって、従来のようにコーナー部が移動によって隙間が生じたりすることなく、確実に覆うことができる。
【００２１】
（２）前記（１）によって、左右の躯体が異なる前後方向に揺れ動いた場合にはスライド枠が前後方向にスライド移動して、その揺れ動きを吸収することができるとともに、左右の躯体が異なる左右方向に揺れ動いた場合には、上下部カバー材支持機構および側部カバー材支持機構が伸縮し、この伸縮に応じて筒状のカバー材も伸縮させて、その揺れ動きを吸収することができる。
したがって、左右の躯体が異なる前後方向に揺れ動いても、損傷することなく確実に防水や耐火等の効果を得ることができる。
【００２２】
（３）前記（１）によって、上下部カバー材支持機構や側部カバー材支持機構はヒンジ状のリンクでよいので、免震ビル等の大きな揺れ動きを設定する所にでも使用することができる。
【００２３】
（４）請求項２、３も前記（１）〜（３）と同様な効果が得られる。
【図面の簡単な説明】
【図１】本発明の第１の実施の形態の平面図。
【図２】本発明の第１の実施の形態の側面図。
【図３】図１の３−３線に沿う拡大断面図。
【図４】図２の４−４線に沿う拡大断面図。
【図５】本発明の第１の実施の形態のスライド枠の説明図。
【図６】本発明の第１の実施の形態の上下部カバー材支持機構の説明図。
【図７】本発明の第１の実施の形態の側部カバー材支持機構の説明図。
【図８】本発明の第１の実施の形態の筒状のカバー材の説明図。
【図９】本発明の第１の実施の形態の目地部が狭くなった動作説明図。
【図１０】本発明の第１の実施の形態の目地部が広くなった動作説明図。
【図１１】本発明の第１の実施の形態の異なる前後方向の動作説明図。
【図１２】本発明の第２の実施の形態の平面図。
【図１３】図１２の１３−１３線に沿う拡大断面図。
【図１４】図１３の１４−１４線に沿う断面図。
【図１５】本発明の第３の実施の形態の平面図。
【図１６】図１５の１６−１６線に沿う拡大断面図。
【図１７】図１６の１７−１７線に沿う断面図。
【図１８】本発明の第４の実施の形態の平面図。
【図１９】本発明の第４の実施の形態の側面図。
【図２０】図１８の２０−２０線に沿う拡大断面図。
【図２１】本発明の第５の実施の形態の平面図。
【図２２】図２１の２２−２２線に沿う拡大断面図。
【図２３】図２２の２３−２３線に沿う断面図。
【図２４】本発明の第６の実施の形態の平面図。
【図２５】本発明の第６の実施の形態の側面図。
【図２６】図２４の２６−２６線に沿う拡大断面図。
【符号の説明】
１、１Ａ、１Ｂ、１Ｃ、１Ｄ、１Ｅ：カバー壁、
２：目地部、            ３：躯体、
４：連絡通路、          ５：開口部、
６：支持金具、          ７：スライド枠、
８：枢支ピン、          ９：リンク、
１０、１０Ａ：上下部カバー材支持機構、
１１：リンク部材、
１２、１２Ａ、１２Ｂ：側部カバー材支持機構、
１３：ビス、            １４、１４Ａ、１４Ｂ：カバー材、
１５：ビス、            １６：カバーシート、
１７：充填材、          １８：耐火シート、
１９：中央支持リンク、  ２０：四角枠形状のリンク、
２１：枢支ピン、        ２２：中央バー、
２３、２３Ａ：中央維持リンク機構、
２４：枢支ピン、        ２５：中央維持バー、
２６：取付け紐。
【図１】
0003587366.tif 000002
【図２】
0003587366.tif 000003
【図３】
0003587366.tif 000004
【図４】
0003587366.tif 000005
【図５】
0003587366.tif 000006
【図６】
0003587366.tif 000007
【図７】
0003587366.tif 000008
【図８】
0003587366.tif 000009
【図９】
0003587366.tif 000010
【図１０】
0003587366.tif 000011
【図１１】
0003587366.tif 000012
【図１２】
0003587366.tif 000013
【図１３】
0003587366.tif 000014
【図１４】
0003587366.tif 000015
【図１５】
0003587366.tif 000016
【図１６】
0003587366.tif 000017
【図１７】
0003587366.tif 000018
【図１８】
0003587366.tif 000019
【図１９】
0003587366.tif 000020
【図２０】
0003587366.tif 000021
【図２１】
0003587366.tif 000022
【図２２】
0003587366.tif 000023
【図２３】
0003587366.tif 000024
【図２４】
0003587366.tif 000025
【図２５】
0003587366.tif 000026
【図２６】
0003587366.tif 000027